(57)【要約】【課題】ゴルフスイングを検討した結果、ゴルフクラブのシャフトと手袋とを連結することでスイングに際してゴルフクラブがすっぽ抜けることがなく、初心者が安心してスイングをし、空振りやダフリ、トップ等の原因をなくすことのできるゴルフ練習用具を提供する。【解決手段】弾性を有する長形な金属板をＵ字状に曲折して金属片２ａ、２ｂの中央部を外方向に湾曲した円弧面６、６により挟持空間７を形成するとともに金属片２ａ、２ｂの先端間に差込口８を形成したクリップ２と、弾性を有する長形な金属板を偏平Ｕ字状に折曲して挟持板９と挟持片１０とを形成するとともに挟持板９に対して圧接可能な挟持片１０には中央長さ方向にそって空間１１を形成したクリップ３とをロープ４で連結する。【選択図】図１
0003151610.tif 000002
【実用新案登録請求の範囲】
【請求項１】
弾性を有する長形な金属板をＵ字状に曲折して形成した金属片（２ａ）、（２ｂ）の中央部を外方向に湾曲した円弧面（６）、（６）により挟持空間（７）を形成するとともに金属片（２ａ）、（２ｂ）の先端間に差込口（８）を形成したクリップ（２）と、弾性を有する長形な金属板を偏平Ｕ字状に折曲して挟持板（９）と挟持片（１０）とを形成するとともに挟持板（９）に対して圧接可能な挟持片（１０）には中央長さ方向にそって空間（１１）を形成したクリップ（３）とをロープ（４）で連結して成ることを特徴とするゴルフ練習用具。
【請求項２】
クリップ（２）の金属片（２ａ）、（２ｂ）に形成した円弧面（６）、（６）の片側端面には挿込片（１７）を金属片（２ａ）、（２ｂ）の延長方向に設けたことを特徴とする請求項１に記載するゴルフ練習用具。
【請求項３】
クリップ（３）の挟持板（９）先端には挟持片（１０）とは反対方向に連結板（１９）を直角状に突設して取付孔（２０）を形成し、この取付孔（２０）を介して連結板（１９）を上下から挟持して連結する保持部材（２１）とカバー（２９）内には、スプリング（２２）の伸縮弾性で上下動可能なストッパー（２３）を収容し、ストッパー（２３）の上下動によりストッパー（２３）内を貫通するロープ（４）の引き、延ばしを規制可能とし、常態ではカバー（２９）上に突設するネジ棒（２５）には保持具（３２）を連結したことを特徴とする請求項１及び請求項２に記載するゴルフ練習用具。
【考案の詳細な説明】
【技術分野】
【０００１】
本考案は、ゴルフ練習用具に関し、特に、グリップの握りを安定させ、クラブヘッドの軌道を目標方向へ誘導することを可能とするゴルフ練習用具に関するものである。
【背景技術】
【０００２】
ゴルフの基本はグリップにあると言われるが、初心者はグリップを強く握り締める傾向がある。ゴルフクラブのグリップはゴム、皮、合成皮革等で滑りにくくなっているが、このグリップを強く握り締めると腕や肩に余分な力が入るためスイングをした時、身体の回転が不自然なものとなる。これが原因でヘッドアップをし空振りをしたり、ダフリやトップをするものである。
【０００３】
更に、グリップを強く握るとゴルフクラブのヘッドスピードが遅くなるために、クラブヘッドがボールに当たっても飛距離が延びないものであり、ショットに正確さがなく、初心者はゴルフスイングについて色々と悩むものである。
【０００４】
初心者にはグリップは柔らかく握るようにとアドバイスをする。従って、アドレスからバックスイングにかけては握る力を柔らかくするようにと意識するが、インパクトにかけては無意識に力が加わり、スイングにぶれを生じ、クラブヘッドの軌道がずれ前記のような結果となる。更に、意識的に柔らかく握るようにすると、フォロースイングにおいて遠心力の作用でゴルフクラブが手からすっぽ抜けることがあった。
【先行技術文献】
【特許文献】
【０００５】
【特許文献１】実用新案登録第３０８０５９０号公報
【特許文献２】実用新案登録第３０２６０９３号公報
【０００６】
ゴルフクラブを握った際にグリップに緩みを生じないようにするためのゴルフ手袋が、実用新案登録第３０８０５９０号として提供されている。また、スイング時のスッポ抜けを防止するためにグリップエンドを改良したものが実用新案登録第３０２６０９３号として提供されている。
【考案の概要】
【考案が解決しようとする課題】
【０００７】
特許文献１に示す技術は、グリップと手袋は密着するとしても、グリップの握り力まで調整するものではなく、初心者の握り力の調整とはならない。特許文献２に示す技術は、グリップエンドを大きな径としてあるので、スイングに際してゴルフクラブがすっぽ抜ける恐れはない。
【０００８】
しかし、十分に練習をして自然にグリップを握れるようになった後でもグリップエンドが大きな径のゴルフクラブを使用することは体裁が悪いものである。このため、通常の形状のグリップに交換した場合、ゴルフクラブ全体のバランスが変わるためにスイングにも影響を与えるものである。
【０００９】
本考案は、ゴルフスイングを検討した結果、ゴルフクラブのシャフトと手袋とを連結することでスイングに際してゴルフクラブがすっぽ抜けることがなく、初心者が安心してスイングをし、空振りやダフリ、トップ等の原因をなくすことのできるゴルフ練習用具を提供するものである。
【課題を解決するための手段】
【００１０】
上記の目的を達成するために本考案ゴルフ練習用具は、弾性を有する長形な金属板をＵ字状に曲折して金属片２ａ、２ｂの中央部を外方向に湾曲した円弧面６、６により挟持空間７を形成するとともに金属片２ａ、２ｂの先端間に差込口８を形成したクリップ２と、弾性を有する長形な金属板を偏平Ｕ字状に折曲して挟持板９と挟持片１０とを形成するとともに挟持板９に対して圧接可能な挟持片１０には中央長さ方向にそって空間１１を形成したクリップ３とをロープ４で連結したものである。
【００１１】
更に、クリップ２の金属片２ａ、２ｂに形成した円弧面６、６の片側端面には挿込片１７を延長方向に設けてあり、また、クリップ３の挟持板９先端には挟持片１０とは反対方向に連結板１９を直角状に突設して取付孔２０を形成し、この取付孔２０を介して連結板１９を挟持して連結する保持部材２１とカバー２９内には、スプリング２２の伸縮弾性で上下動可能なストッパー２３を収容し、ストッパー２３の上下動によりストッパー２３内を貫通するロープ４の引き、延ばしを規制可能としてある。
【考案の効果】
【００１２】
本考案ゴルフ練習用具１によれば、クリップ２とシャフト１５及びクリップ３と手袋１２とを連結し、かつ、クリップ２とクリップ３とはロープ４で連結してあるので、グリップ１６を柔らかく握っていても遠心力でゴルフクラブがすっぽ抜けることがなく、初心者は安心してスイングに集中することができ、ゴルフの上達に役立つものである。
【００１３】
手袋１２とシャフト１５とがロープ４で連結されているので、手とゴルフクラブが一体化され、練習を重ねることによりクラブヘッドの方向性が安定するのでスライスやシャンクの発生がなく、飛距離を延ばしてボールを真っ直ぐに飛ばすことができる。
【００１４】
クリップ２には、シャフト１５とグリップ１６間に挿し込み可能な挿込片１７を形成し、クリップ２の挟持空間７内にシャフト１５を挟んだ後、クリップ２をシャフト１５にそって移動させて挿込片１７をシャフト１５とグリップ１６先端間に挿し込めば、クリップ２はシャフト１５にそって移動することがなく、更にクリップ２の円弧面６、６が広がることがなく、手袋１２とシャフト１５の連結状態は強固なものとなる。
【００１５】
特に、クリップ２とクリップ３との間隔を調整できれば、ロープ４には緩みや撓み等がなくなり、手袋１２とシャフト１５との連結状態は更に強いものとなり、手とシャフト１５とに一体感を持たせ、スイングが安定したものとなる。
【図面の簡単な説明】
【００１６】
【図１】本考案ゴルフ練習用具の一実施形態を示す斜視図である。
【図２】本考案ゴルフ練習用具の使用状態を示す斜視図である。
【図３】本考案練習用具のクリップの他の実施形態を示す斜視図である。
【図４】本考案練習用具のクリップの更に他の実施形態を示す斜視図である。
【図５】図４の実施形態で示す規制具を断面とした分解図である。
【考案を実施するための形態】
【００１７】
以下、図面に従って本考案の実施形態を詳細に説明する。
図１は、本考案ゴルフ練習用具１の一実施形態を示すものであり、ゴルフ練習用具１は、ゴルフクラブのシャフトに取り付けるためのクリップ２と、滑り防止のための手袋に取り付けるためのクリップ３と、両クリップ２、３とを連結するロープ４とからなるものである。
【００１８】
弾性を有し、金属製であるクリップ２は、図１に示すように、一枚の長形な金属板を中央基部５を中心にしてＵ字状に折曲して形成した対向する２枚の金属片２ａ、２ｂの中央部を外方向に半円状に湾曲させて円弧面６、６としてその間に挟持空間７を形成するとともに両金属片２ａ、２ｂの両端部は外方向へ傾斜状に広げて挟持空間７よりも狭い差込口８を形成したものであり、基部５にはロープ４の一端が連結してある。そして、基部５を中心にして円弧面６、６には拡開弾性を付与してある。
【００１９】
また、弾性を有し、金属製であるクリップ３は、図１に示すように、一枚の長形な金属板を偏平Ｕ字状に折曲して挟持板９と挟持片１０を一体に形成したものである。一枚の板体である挟持板９に対して挟持片１０は中央長さ方向にそって空間１１を有するＵ字形状をなしており、挟持板９に対して挟持片１０は弾性作用で圧接可能となっている。そして、挟持板９の先端にはロープ４の一端が連結してある。
【００２０】
本考案ゴルフ練習用具１は上記の構成を有しており、次に、使用状態について説明する。図２に示すように、手袋１２を手に嵌めてクリップ３の挟持板９と挟持片１０間には、手袋１２を締付けるために設けてあるアジャスター１３を挟み入れる。挟持片１０の弾性作用でアジャスター１３は挟持板９間に固定される。
【００２１】
通常、アジャスター１３の裏面と手袋１２の手甲部１４には公知の面ファスナー（図示せず）が設けてあるので、両面ファスナーを張り合わせればクリップ３の挟持片１０はアジャスター１３と手甲部１４間に取り付けられる。特に、挟持片１０の空間１１内でも面ファスナー相互が連結されるので、挟持片１０のＵ字状に形成した先端部は、連結した面ファスナーに引っかかって抜けにくくなる。
【００２２】
その後、クリップ２の差込口８をクラブシャフト１５の側面にあてがって押し込めば、シャフト１５は挟持空間７内に入り、円弧面６、６の弾性作用で挟まれてクリップ２とシャフト１５は一体化され、手袋１２とシャフト１５はロープ４を介して連結されることになる。尚、クリップ３と手袋１２及びクリップ２とシャフト１５とはいずれを先に連結するかは任意である。
【００２３】
上記のようにして手袋１２とシャフト１５とを連結した後にグリップ１６を握り、バックスイングからフォロースイングまでのスイングをすればよい。手袋１２とシャフト１５はロープ４を介して連結してあるので、グリップ１６を柔らかく握った状態でスイングをしてもゴルフクラブがすっぽ抜けることはない。
【００２４】
尚、ロープ４の長さは、クリップ２とシャフト１５及びクリップ３と手袋１２とを連結した時に弛みを生じる長さを有しており、合成皮革、プラスチック、金属線等からなっている。
【００２５】
図３は、クリップ２の他の実施形態を示すものであり、前記の実施形態と同じ部分は同じ符号を使用している。この実施形態におけるクリップ２の特徴は、金属片２ａ、２ｂに形成した円弧面６、６の片側端面に挿込片１７を金属片２ａ、２ｂの延長方向に設けたことである。
【００２６】
このような構成において、前記のごとくクリップ２の挟持空間７内にシャフト１５を嵌め入れる時、挿込片１７をグリップ１６の方向に向けておく。その後、クリップ２をシャフト１５に嵌めて移動させ、シャフト１５とグリップ１６先端との間に挿込片１７を挿し込めばよい。
【００２７】
これによってクリップ５はシャフト１５とグリップ１６間に固定されるので、クリップ２はシャフト１５にそって自由に移動したり回動することがなく、安定した状態となり、スイングがし易くなる。特に、挿込片１７にグリップ１６がかぶさった状態となるのでクリップ２の円弧面６、６が広がることがなく、シャフト１５を安定して保持できる。
【００２８】
図４は、本考案ゴルフ練習用具１の他の実施形態を示すものであり、前記の実施形態と同じ部分は同じ符号を使用している。この実施形態においてはクリップ２とクリップ３との間隔を調節可能としたことに特徴を有している。
【００２９】
このために、クリップ３にはロープ規制具１８が一体的に取り付けてある。クリップ３を形成する挟持板９の先端には挟持片１０を設けた反対側外方向に連結板１９が直角状に突設してあり、連結板１９の中央部に形成した取付孔２０を介して規制具１８が設けてある。
【００３０】
ロープ４は規制具１８内を貫通して両側に突出しており、ロープ４の一端はクリップ２に連結してある。ロープ４を規制具１８を通して一方向、即ち、ゴルフプレーヤー側に引くとクリップ２はクリップ３側に引かれてクリップ３との間隔は狭まるが、引き作用を中止するとロープ４は規制具１８内の後記するストッパーで握持され、クリップ２とクリップ３との間隔は一定となる。
【００３１】
規制具１８は次の構成を有している。
前記連結板１９の取付孔２０に面して下側にあてがう保持部材２１内には伸縮弾性を有するスプリング２２が収容可能であり、このスプリング２２上に前記のストッパー２３が載っている。尚、保持部材２１の外径は、連結板１９の取付孔２０より大きくなっている。
【００３２】
このストッパー２３は、下方に向けて大径とした円錐状の支持体２４上にネジ棒２５が突設してあり、ストッパー２３全体にロープ４が貫通する孔２６が形成してある。そして、支持体２４の上部には放射方向に複数個、図面では３個の保持孔２７が、ロープ４が貫通する孔２６に達するように形成してあり、各保持孔２７にはボール２８が自由状態で埋め込んである。
【００３３】
このストッパー２３を上方から覆って保持部材２１内に螺挿可能なカバー２９内には、上方に向けて幅が狭くなる円錐面３０が形成してある。カバー２９を保持部材２１にネジ込んで取り付けると、ストッパー２３のネジ棒２５は、常態ではスプリング２２の弾性作用で上方に延び、カバー２９上方へ突出した状態となる。
【００３４】
カバー２９の上部側面には、連結板１９の取付孔２０より大径の鍔３１が突設してあるので、保持部材２１とカバー２９とを連結した時、連結板１９を上下から挟持するので、クリップ３と規制具１８は固定される。従って、カバー２９の鍔３１より下の部分は、連結板１９の取付孔２０を通って保持部材２１内にネジ込まれることになる。
【００３５】
ストッパー２３がスプリング２２の伸弾性で上方にある時、３個のボール２８は、カバー２９内上方の狭い内径の円錐面３０に接して内側に押されるので、３個のボール２８は、内部を貫通しているロープ４の側面に３方向から圧接することになる。
【００３６】
尚、符号３２は、カバー２９の上方に突出するネジ棒２５にネジ込むことのできる保持具であり、常態ではこの保持具３２によりストッパー２３はカバー２９上に固定され自由に上下動することなく一定の位置に停止している。
【００３７】
図５において図示していないロープ４は、保持部材２１の下方に延びている。
クリップ２とクリップ３との間隔を狭める場合には、ネジ棒２５から保持具３２を外し、ロープ４をＡ矢印方向（プレーヤーの方向）へ引くと、ロープ４と３個のボール２８との接触圧でストッパー２３全体がスプリング２２の弾性に抗して引かれるので、３個のボール２８は内径の大きい円錐面３０に位置することになる。
【００３８】
ロープ４を更に引けば、ボール２８との接触圧が緩むので、ロープ４を必要な長さまで引くことができる。逆に、ロープ４を延ばしてクリップ２とクリップ３との間隔を広げる場合には、保持具３２を外した状態でネジ棒２５を指先で押すことにより、ロープ４と３個のボール２６との接触圧を緩めればよく、ロープ４をＢ矢印方向に延ばすことができる。
【００３９】
従って、保持部材２１とカバー２９内にあるストッパー２３は、スプリング２２の弾性で上方にある時は、ボール２８は内側に押されてロープ４に圧接し、ストッパー２３がスプリング２２の弾性に抗して下方に移動するにしたがいロープ４とボール２８の接触は緩やかなものとなる。尚、ストッパー２３を下方に位置させても、ボール２８は保持孔２７から抜けることはない。
【００４０】
保持具３２は、ストッパー２３が自由に出入りするのを防止しており、常態では、保持具３２をネジ棒２５に取り付けておくので、スイングをした時にクリップ２とクリップ３との間隔が広がったり、狭くなったりすることはない。
【００４１】
規制具１８によってロープ４の長さを調節するようにしておけば、ロープ４に緩みや撓みをなくし、手袋１２とシャフト１５との連結を強固なものとし、グリップ１６とシャフト１５が一体化されて円滑なスイングをすることができる。
【００４２】
尚、本実施形態におけるクリップ３は、前記の場合と同様、手袋１２のアジャスター１３に取り付け、アジャスター１３と手甲部１４とを連結すればよく、規制具１８はアジャスター１３の外側に位置することになる。
【００４３】
尚、上記において、クリップ２、クリップ３は金属製の場合について説明したが、例えば、金属材としてはステンレスを使用することができる。或いは、適度の弾性と剛性を有するものであればプラスチックを素材として使用することも可能である。
【００４４】
また、連結板１９に形成した取付片孔２０は、連結板１９の中央に形成した場合について説明したが、図面に示すように、連結板１９の先端方向に取付孔２０を開放し、連結板１９の横方向から規制具１８を取り付けるようにしてもよい。
【産業上の利用可能性】
【００４５】
本考案は、ゴルフ初心者がスイング練習をする際、グリップとシャフトを一体化できるので、安心してスイングができ、ゴルフクラブがすっぽ抜けるようなことの発生を防止することができる。
【符号の説明】
【００４６】
１  練習用具
２  クリップ
３  クリップ
４  ロープ
５  基部
６  円弧面
７  挟持空間
８  差込口
９  挟持板
１０  挟持片
１１  空間
１２  手袋
１３  アジャスター
１４  手甲部
１５  シャフト
１６  グリップ
１７  挿込片
１８  規制具
１９  連結板
２０  取付孔
２１  保持部材
２２  スプリング
２３  ストッパー
２４  支持体
２５  ネジ棒
２６  貫通孔
２７  保持孔
２８  ボール
２９  カバー
３０  円錐面
３１  鍔
３２  保持具
【図１】
0003151610.tif 000003
【図２】
0003151610.tif 000004
【図３】
0003151610.tif 000005
【図４】
0003151610.tif 000006
【図５】
0003151610.tif 000007
【手続補正書】
【提出日】平成21年4月16日(2009.4.16)
【手続補正１】
【補正対象書類名】実用新案登録請求の範囲
【補正対象項目名】請求項３
【補正方法】変更
【補正の内容】
【請求項３】
クリップ（３）の挟持板（９）先端には挟持片（１０）とは反対方向に連結板（１９）を直角状に突設して取付孔（２０）を形成し、この取付孔（２０）を介して連結板（１９）を上下から挟持して連結する保持部材（２１）とカバー（２９）内には、スプリング（２２）の伸縮弾性で上下動可能なストッパー（２３）を収容し、ストッパー（２３）の上下動によりストッパー（２３）内を貫通するロープ（４）の引き、延ばしを規制可能とし、常態ではカバー（２９）上に突設するネジ棒（２５）には保持具（３２）を連結したことを特徴とする請求項１または請求項２に記載するゴルフ練習用具。